(57)【要約】【課題】穀粒タンクの側面が開放されたときに、穀粒などの収穫物が筋状にこぼれ落ちることを抑制できる、収穫機を提供する。【解決手段】固定壁部１３の上端縁に沿って、ウェザストリップ２１が設けられている。開閉壁部１４が閉じられると、開閉壁部１４がウェザストリップ２１に密着する。開閉壁部１４の下端部には、開閉壁部１４が閉じられた状態でウェザストリップ２１の上側に配置される庇部５１が設けられている。これにより、開閉壁部１４とウェザストリップ２１との当接部分が庇部５１の下側に隠れる。【選択図】図４
2020108339.tif 000002
【特許請求の範囲】
【請求項１】
収穫物を収容可能なタンクを備える収穫機であって、
前記タンクの一側壁部に、少なくともその一部からなる開閉壁部が上下方向に延びる軸線まわりの回動により開閉可能に構成され、
前記開閉壁部が開かれたときに形成される開口の下端縁に沿って、前記開閉壁部が閉じられた状態で前記開閉壁部と密着するシール部材が設けられ、
前記開閉壁部の下端部に、前記開閉壁部が閉じられた状態で前記シール部材の上側に配置される庇部が設けられている、収穫機。
【請求項２】
前記庇部は、前記開閉壁部が閉じられた状態で、前記開閉壁部から前記タンクの内側に向かう方向において、前記シール部材よりも下流側の位置まで延びている、請求項１に記載の収穫機。
【請求項３】
前記開閉壁部の内面に、上下方向に延びるロッド状の係止部材が非係止位置と係止位置との間で上下方向に往復動可能に設けられており、
前記係止部材が非係止位置に位置する状態で前記係止部材の下端が前記開口の下端縁よりも上側に配置され、前記係止部材が係止位置に位置する状態で前記係止部材の下端が前記開口の下端縁よりも下側に配置されるように構成されており、
前記タンク内に、前記非係止位置から前記係止位置に下降する前記係止部材の下端部が摺動して、前記係止位置で前記係止部材の下端部を係止させる被係止部が設けられている、請求項１または２に記載の収穫機。
【請求項４】
前記庇部は、前記開閉壁部の下端部に沿って延び、その長手方向の途中部が分断されており、
前記被係止部は、前記開閉壁部が閉じられた状態において、前記庇部の分断された部分に配置される、請求項１〜３のいずれか一項に記載の収穫機。
【請求項５】
前記被係止部は、上端部が前記シール部材の上側に回り込んでいる、請求項４に記載の収穫機。
【請求項６】
前記庇部は、前記開閉壁部と別体に形成され、締結具を用いて前記開閉壁部に取り付けられている、請求項１〜５のいずれか一項に記載の収穫機。
【発明の詳細な説明】
【技術分野】
【０００１】
本発明は、コンバインなどの収穫機に関する。
【背景技術】
【０００２】
収穫機の一例であるコンバインでは、圃場に植立している穀稈の株元が刈取装置によって刈られ、その刈られた穀稈が刈取装置から脱穀装置に搬送されて、脱穀装置で穀稈が脱穀され、穀稈から外れた穀粒が穀粒タンクに収集される。
【先行技術文献】
【特許文献】
【０００３】
【特許文献１】特開２０１８−９９０４７号公報
【発明の概要】
【発明が解決しようとする課題】
【０００４】
この種の収穫機では、穀粒タンクの内面に残留している穀粒やその内面に付着している塵埃を除去するメンテナンス作業を可能とするために、穀粒タンクの壁面に開口が形成されて、その開口を開閉可能に構成されていることが好ましい。
【０００５】
たとえば、穀粒タンクの上面に蓋体で開閉可能な開口が形成された構成では、穀粒タンクの上方から開口を通してメンテナンス作業が行われることになるが、穀粒タンクが大型である場合、穀粒タンクの上方からのメンテナンス作業は行いにくい。
【０００６】
そこで、穀粒タンクの側壁の一部を開閉壁部として開閉可能に構成することが考えられる。この構成では、穀粒タンクの側方からその開閉壁部を開放して形成される開口を通してメンテナンス作業を行うことができるので、穀粒タンクが大型であっても、メンテナンス作業を行いやすいという利点がある。
【０００７】
ところが、開閉壁部が開かれたときに、側壁の内面に付着している籾などの穀粒が穀粒タンクの外部にこぼれ落ちる懸念がある。とくに、開閉壁部の下端縁と開口の下端縁との間に穀粒が並んで挟まっている場合には、開閉壁部が開かれたときに、その穀粒が圃場などに筋状にこぼれ落ち、多量の穀粒がこぼれ落ちた印象を収穫機の購入者や使用者に与える懸念がある。
【０００８】
本発明の目的は、穀粒タンクの側面が開放されたときに、穀粒などの収穫物が筋状にこぼれ落ちることを抑制できる、収穫機を提供することである。
【課題を解決するための手段】
【０００９】
前記の目的を達成するため、本発明に係る収穫機は、収穫物を収容可能なタンクを備える収穫機であって、タンクの一側壁部に、少なくともその一部からなる開閉壁部が上下方向に延びる軸線まわりの回動により開閉可能に構成され、開閉壁部が開かれたときに形成される開口の下端縁に沿って、開閉壁部が閉じられた状態で開閉壁部と密着するシール部材が設けられ、開閉壁部の下端部に、開閉壁部が閉じられた状態でシール部材の上側に配置される庇部が設けられている。
【００１０】
この構成よれば、タンクの開閉壁部が開かれると、開口が形成される。これにより、その開口を通してタンク内にアクセスすることができ、タンク内の清掃作業などのメンテナンス作業を行うことができる。
【００１１】
開口の下端縁に沿って、シール部材が設けられている。開閉壁部が閉じられると、開閉壁部がシール部材に密着する。そのため、タンク内の圧で開閉壁部が膨出するように多少変形しても、シール部材の弾性により開閉壁部とシール部材との密着性が確保される。よって、開閉壁部と開口の下端縁との間からタンク内に貯留されている収穫物がこぼれ出ることを抑制できる。
【００１２】
また、開閉壁部の下端部には、庇部が設けられており、開閉壁部が閉じられると、その庇部がシール部材の上側に配置される。これにより、開閉壁部とシール部材との当接部分が庇部の下側に隠れるので、その当接部分に穀粒などの収穫物が並んで挟まることが抑制される。そのため、開閉壁部が開かれたときに、タンク内から圃場などに収穫物が筋状にこぼれ落ちることを抑制できる。
【００１３】
庇部は、開閉壁部が閉じられた状態で、開閉壁部からタンクの内側に向かう方向において、シール部材よりも下流側の位置まで延びていてもよい。これにより、開閉壁部とシール部材との当接部分に収穫物が並んで挟まることを効果的に抑制でき、開閉壁部が開かれたときに、タンク内から圃場などに収穫物が筋状にこぼれ落ちることを良好に抑制できる。
【００１４】
開閉壁部の内面に、上下方向に延びるロッド状の係止部材が非係止位置と係止位置との間で上下方向に往復動可能に設けられており、係止部材が非係止位置に位置する状態で係止部材の下端が開口の下端縁よりも上側に配置され、係止部材が係止位置に位置する状態で係止部材の下端が開口の下端縁よりも下側に配置されるように構成されており、タンク内に、非係止位置から係止位置に下降する係止部材の下端部が摺動して、係止位置で係止部材の下端部を係止させる被係止部が設けられていてもよい。
【００１５】
この構成によれば、開閉壁部が閉じられた状態で、係止部材が係止位置に配置されることにより、係止部材の下端部が被係止部に係止するので、タンク内の圧で開閉壁部が膨出するように多少変形しても、開閉壁部と開口の下端縁との間に隙間が生じることが抑制される。よって、開閉壁部と開口の下端縁との間からタンク内に貯留されている収穫物がこぼれ出ることを一層抑制することができる。
【００１６】
庇部は、開閉壁部の下端部に沿って延び、その長手方向の途中部が分断されており、被係止部は、開閉壁部が閉じられた状態において、庇部の分断された部分に配置されてもよい。これにより、被係止部と庇部とが干渉することを回避できながら、被係止部が壁となって、タンク内の収穫物が開閉壁部とシール部材との当接部分に高い圧で食い込むことを抑制できる。
【００１７】
被係止部は、上端部がシール部材の上側に回り込んでいることが好ましい。これにより、開閉壁部の開閉の途中で係止部材が非係止位置から係止位置に移動しても、係止部材がシール部材と干渉することを抑制でき、係止部材によるシール部材の損傷を抑制することができる。
【００１８】
庇部は、開閉壁部と別体に形成され、締結具を用いて開閉壁部に取り付けられていてもよい。この場合、庇部を開閉壁部と一体に形成しなくてよいので、開閉壁部の製造コストの増大を抑制することができる。また、庇部が締結具で開閉壁部に取りつけられることにより、庇部が接着剤または両面テープで開閉壁部に取りつけられる構成と比較して、庇部の取付強度を増すことができ、タンク内での庇部の脱落の懸念を小さくすることができる。
【発明の効果】
【００１９】
本発明によれば、穀粒タンクの側面が開放されたときに、穀粒などの収穫物が筋状にこぼれ落ちることを抑制できるので、多量の穀粒がこぼれ落ちた印象を収穫機の購入者や使用者に与えることを抑制できる。
【図面の簡単な説明】
【００２０】
【図１】本発明の一実施形態に係るコンバインの機体の右側面図である。
【図２】機体の平面図である。
【図３】穀粒タンクの内部構成を示す左側面図である。
【図４】穀粒タンクの固定壁部と開閉壁部との境界部分の内側の構成を示す斜視図である。
【図５】固定壁部の内側の構成の要部を示す斜視図である。
【図６】開閉壁部の内側の構成を示す斜視図である。
【図７】開閉壁部の下端部の内側の構成を示す斜視図である。
【発明を実施するための形態】
【００２１】
以下では、本発明の実施の形態について、添付図面を参照しつつ詳細に説明する。
【００２２】
＜コンバインの機体の構成＞
図１は、本発明の一実施形態に係るコンバイン１の機体２の右側面図である。図２は、機体２の平面図である。
【００２３】
コンバイン１は、圃場を走行しながら穀稈の刈り取りおよび穀稈からの脱穀を行う収穫機の一例である。コンバイン１の機体２は、鋼材を組み合わせた構造物であるメインフレーム３を備えている。メインフレーム３には、キャビン４および穀粒タンク５などが支持されている。
【００２４】
なお、図示されていないが、機体２は、左右一対の走行装置に支持されている。走行装置には、圃場でのコンバイン１の走行可能にするため、たとえば、高い不整地走破能力を有するクローラが採用される。
【００２５】
キャビン４は、メインフレーム３の前端部上に配置されている。キャビン４は、その内部に運転者が搭乗する空間を提供し、その空間内には、たとえば、運転者が着座する運転席や操作レバーおよび操作ペダルなどの操作部材が配置されている。キャビン４の右側面には、図１に示されるように、ドア１１が設けられている。ドア１１は、その後端部に取り付けられた２個の蝶番１２により開閉可能に支持されている。運転者は、ドア１１を開いて、キャビン４内に乗り込むことができる。
【００２６】
穀粒タンク５は、メインフレーム３上でキャビン４の後方に配置されている。穀粒タンク５には、脱穀装置により穀稈から脱穀された穀粒を貯留する。穀粒タンク５の右側面を構成する右側壁は、固定壁部１３と、固定壁部１３の上側の開閉壁部１４とを備えている。固定壁部１３は、メインフレーム３に対して固定的に設けられている。開閉壁部１４は、その後端縁に沿って上下に延びる回動軸線を中心に開閉可能に設けられている。開閉壁部１４が開かれると、固定壁部１３を残して、穀粒タンク５の右側面が大きく開放される。これにより、穀粒タンク５内のメンテナンスを行う際に、その大きく開放された開口からメンテナンス作業者が穀粒タンク５内に容易に入り込むことができる。
【００２７】
また、穀粒タンク５は、右後端部で上下方向に延びる軸線を中心に、その全体が右側に展開可能に構成されている。これにより、メンテナンス作業者は、穀粒タンク５の全体を右側に展開して、キャビン４と穀粒タンク５との間に配置されている機器類を容易にメンテナンスすることができる。
【００２８】
＜穀粒タンクの内部構成＞
図３は、穀粒タンク５の内部構成を示す左側面図である。図４は、穀粒タンク５の固定壁部１３と開閉壁部１４との境界部分の内側の構成を示す斜視図である。図５は、固定壁部１３の内側の構成の要部を示す斜視図である。
【００２９】
穀粒タンク５の固定壁部１３には、図４および図５に示されるように、その上端縁に沿って、帯状のシール部材であるウェザストリップ２１が設けられている。開閉壁部１４が閉じられた状態において、開閉壁部１４の下端部がウェザストリップ２１に右側から押し付けられる。これにより、ウェザストリップ２１が弾性変形し、その弾性力でウェザストリップ２１が開閉壁部１４と密着して、固定壁部１３の上端部と開閉壁部１４の下端部との間が液密的に封止される。
【００３０】
また、固定壁部１３の内面には、たとえば、前端部および前後方向の中央部に、それぞれロック受け金具２２が取り付けられている。ロック受け金具２２は、側面視略台形状の平板状部２３と、平板状部２３の上部から上側に凸湾曲しつつ右側に延びる湾曲部２４とを一体に備えている。ロック受け金具２２は、固定壁部１３の内面と平板状部２３との間にスペーサ２５を介在させた状態で、たとえば、２個のボルト２６で固定壁部１３に締結されている。ロック受け金具２２の湾曲部２４は、ウェザストリップ２１の上側に回り込んでいる。
【００３１】
図６は、開閉壁部１４の内側の構成を示す斜視図である。
【００３２】
開閉壁部１４の内面には、２個のロックピン３１が設けられている。ロックピン３１は、ロッド状（丸棒状）の部材である。また、開閉壁部１４の内面には、２個のピンホルダ３２が設けられている。ピンホルダ３２は、板金を上面視略Ｕ字状に湾曲ないしは屈曲させた形状をなし、溶接により開閉壁部１４の内面に固着されている。ピンホルダ３２は、穀粒タンク５内の２個のロック受け金具２２に対応して、開閉壁部１４が閉じられた状態でロック受け金具２２と前後方向に同じ位置となるように配置されている。ロックピン３１は、ピンホルダ３２に挿通されて、上下方向に延びている。
【００３３】
ロックピン３１には、リンク機構３３が接続されている。開閉壁部１４には、図１に示されるように、ロックハンドル３４が設けられている。ロックハンドル３４は、開閉壁部１４に形成された開口３５の奥側に配置されている。リンク機構３３は、ロックハンドル３４の操作により、２個のロックピン３１を同期させて上下動させる機構である。
【００３４】
リンク機構３３は、前後方向に延びる回動軸４１と、回動軸４１に相対回転不能に支持された２個の揺動板４２と、各揺動板４２の下端部に相対回転可能に接続されたリンクアーム４３とを含む。回動軸４１は、ロックハンドル３４に接続されており、ロックハンドル３４が上下方向に延びる閉位置とその閉位置から右側に倒伏した開位置との間で回動操作されると、それに伴って、回動軸４１が中心線まわりに回動する。各リンクアーム４３は、揺動板４２から下方に延び、その下端部がロックピン３１の上端部に相対回転可能に接続されている。
【００３５】
ロックハンドル３４が閉位置から開位置に操作されると、回動軸４１の回動に伴って、各揺動板４２の下端部が持ち上がり、各リンクアーム４３が持ち上がることにより、各ロックピン３１が上昇する。ロックハンドル３４が開位置に操作された状態で、ロックピン３１が最上の非係止位置に位置する。ロックピン３１が非係止位置に位置する状態において、ロックピン３１の下端は、上下方向において固定壁部１３の上端縁（開口の下端縁）よりも上側に配置される。
【００３６】
一方、ロックハンドル３４が開位置から閉位置に操作されると、回動軸４１の回動に伴って、各揺動板４２の下端部が下がり、各リンクアーム４３が下がることにより、各ロックピン３１が下降する。ロックハンドル３４が閉位置に操作された状態で、ロックピン３１が最下の係止位置に位置する。ロックピン３１が係止位置に位置する状態において、ロックピン３１の下端は、上下方向において固定壁部１３の上端縁（開口の下端縁）よりも下側に配置される。
【００３７】
ロックピン３１が非係止位置から係止位置に下降する過程で、ロックピン３１の下端がロック受け金具２２の湾曲部２４に当接する。ロックピン３１がさらに下降すると、ロックピン３１の下端部がロック受け金具２２の湾曲部２４に摺擦する。湾曲部２４の湾曲によって、ロックピン３１の下端部が穀粒タンク５の内側に向かう力を受ける。この力により、開閉壁部１４が穀粒タンク５の内側に引き寄せられて、開閉壁部１４の下端部がウェザストリップ２１に右側から押し付けられる。
【００３８】
図７は、開閉壁部１４の下端部の内側の構成を示す斜視図である。図７では、ロックピン３１およびピンホルダ３２の図示が省略されている。
【００３９】
開閉壁部１４の内面の下端部には、２個の庇部５１が設けられている。庇部５１は、板金を屈曲させて形成されており、穀粒タンク５の内側（左側）に向けて傾斜した傾斜部５２と、傾斜部５２から開閉壁部１４の内面側（右側）に折り返されて延びる延部５３とを一体に備えている。庇部５１は、前後方向に延び、延部５３が開閉壁部１４の内面に当接した状態で、３個のボルト５４により、開閉壁部１４に締結されている。
【００４０】
２個の庇部５１は、前後方向に並べられて、それらの間には、ロック受け金具２２およびピンホルダ３２を配置可能な間隔が空けられている。
【００４１】
開閉壁部１４が閉じられた状態では、図４に示されるように、２個の庇部５１は、固定壁部１３に設けられているウェザストリップ２１の上側に配置されて、ウェザストリップ２１よりも穀粒タンク５の内側（左側）の位置まで延びている。また、開閉壁部１４が閉じられた状態では、２個の庇部５１の間において、ロック受け金具２２の湾曲部２４は、それらの間に入り込み、ウェザストリップ２１の上側に回り込んでいる。
【００４２】
＜作用効果＞
以上のように、穀粒タンク５の開閉壁部１４が開かれると、開口が形成される。これにより、その開口を通して穀粒タンク５内にアクセスすることができ、穀粒タンク５内の清掃作業などのメンテナンス作業を行うことができる。
【００４３】
開口の下端縁、つまり固定壁部１３の上端縁に沿って、ウェザストリップ２１が設けられている。開閉壁部１４が閉じられると、開閉壁部１４がウェザストリップ２１に密着する。そのため、穀粒タンク５内の圧で開閉壁部１４が膨出するように多少変形しても、ウェザストリップ２１の弾性により開閉壁部１４とウェザストリップ２１との密着性が確保される。よって、開閉壁部１４と固定壁部１３の上端縁との間から穀粒タンク５内に貯留されている穀粒がこぼれ出ることを抑制できる。
【００４４】
また、開閉壁部１４が閉じられた状態で、ロックハンドル３４が閉位置に操作されて、ロックピン３１が係止位置に配置されることにより、ロックピン３１の下端部がロック受け金具２２に係止するので、穀粒タンク５内の圧で開閉壁部１４が膨出するように多少変形しても、開閉壁部１４と固定壁部１３の上端縁との間に隙間が生じることが抑制される。よって、開閉壁部１４と固定壁部１３の上端縁との間から穀粒タンク５内に貯留されている穀粒がこぼれ出ることを一層抑制することができる。
【００４５】
そして、ロック受け金具２２の上端部がウェザストリップ２１の上側に回り込んでいるので、開閉壁部１４の開閉の途中で、ロックハンドル３４が開位置から閉位置に操作されて、ロックピン３１が非係止位置から係止位置に移動しても、ロックピン３１ロの下端部がウェザストリップ２１と干渉することを抑制でき、ウェザストリップ２１が損傷するおそれを低減することができる。
【００４６】
開閉壁部１４の下端部に、開閉壁部１４が閉じられた状態でウェザストリップ２１の上側に配置される庇部５１が設けられている。これにより、開閉壁部１４とウェザストリップ２１との当接部分が庇部５１の下側に隠れるので、その当接部分に穀粒などの穀粒が並んで挟まることが抑制される。そのため、開閉壁部１４が開かれたときに、穀粒タンク５内から圃場などに穀粒が筋状にこぼれ落ちることを抑制できる。
【００４７】
庇部５１は、開閉壁部１４が閉じられた状態で、開閉壁部１４から穀粒タンク５の内側に向かう方向において、ウェザストリップ２１よりも下流側の位置まで延びている。これにより、開閉壁部１４とウェザストリップ２１との当接部分に穀粒が並んで挟まることを効果的に抑制でき、開閉壁部１４が開かれたときに、穀粒タンク５内から圃場などに穀粒が筋状にこぼれ落ちることを良好に抑制できる。
【００４８】
庇部５１は、２個並べて設けられ、開閉壁部１４の下端部に沿って延び、その長手方向の途中部が分断されている。ロック受け金具２２は、開閉壁部１４が閉じられた状態において、庇部５１の分断された部分に配置されている。これにより、ロック受け金具２２と庇部５１とが干渉することを回避できながら、ロック受け金具２２が壁となって、穀粒タンク５内の穀粒が開閉壁部１４とウェザストリップ２１との当接部分に高い圧で食い込むことを抑制できる。
【００４９】
庇部５１は、開閉壁部１４と別体に形成され、ボルト５４を用いて開閉壁部１４に取り付けられていてもよい。この場合、庇部５１を開閉壁部１４と一体に形成しなくてよいので、開閉壁部１４の製造コストの増大を抑制することができる。また、庇部５１がボルト５４で開閉壁部１４に取りつけられることにより、庇部５１が接着剤または両面テープで開閉壁部１４に取りつけられる構成と比較して、庇部５１の取付強度を増すことができ、穀粒タンク５内での庇部５１の脱落の懸念を小さくすることができる。
【００５０】
＜変形例＞
以上、本発明の実施の形態について説明したが、本発明は、他の形態で実施することも可能である。
【００５１】
たとえば、収穫機の一例として、コンバイン１を取り上げたが、本発明は、コンバイン１に限らず、人参や大根、枝豆、キャベツなどの野菜を収穫する収穫機などに適用することができる。
【００５２】
その他、前述の構成には、特許請求の範囲に記載された事項の範囲で種々の設計変更を施すことが可能である。
【符号の説明】
【００５３】
１：コンバイン（収穫機）
５：穀粒タンク（タンク）
１３：固定壁部
１４：開閉壁部
２１：ウェザストリップ（シール部材）
２２：ロック受け金具（被係止部）
３１：ロックピン（係止部材）
３４：ロックハンドル（操作部材）
５１：庇部
５４：ボルト（締結具）
【図１】
2020108339.tif 000003
【図２】
2020108339.tif 000004
【図３】
2020108339.tif 000005
【図４】
2020108339.tif 000006
【図５】
2020108339.tif 000007
【図６】
2020108339.tif 000008
【図７】
2020108339.tif 000009